(57)【要約】【課題】  引出しをケースから抜き取って観客に見せることのできる引出し箱の提供。【解決手段】  引出し１と、引出し１を収めるケース２とを備え、引出し１は、外引出し３と、外引出し３の内側に配置される内引出し４とを有し、外引出し３は、内側に倒せるように設けた後壁６を有する。【選択図】      図１
2011041687.tif 000002
【特許請求の範囲】
【請求項１】
引出しと、引出しを収めるケースとを備え、引出しは、外引出しと、外引出しの内側に配置される内引出しとを有し、外引出しは、内側に倒せるように設けた後壁を有することを特徴とする引出し箱。
【請求項２】
外引出しのみをケースから引き抜いたときに、外引出しの後壁がバネの力で起き上がるようにしたことを特徴とする請求項１記載の引出し箱。
【請求項３】
外引出しは、後壁を起立状態で保持するストッパーを有することを特徴とする請求項１又は２記載の引出し箱。
【請求項４】
内引出しの前部底側に傾斜部を設けたことを特徴とする請求項１，２又は３記載の引出し箱。
【発明の詳細な説明】
【技術分野】
【０００１】
本発明は、空の引出しからハト等を出現させたりする手品に用いられる引出し箱に関する。
【背景技術】
【０００２】
空の引出しからハト等を出現させる手品は古くから知られており、かかる手品に用いられる引出し箱は、例えば特許文献１に開示されているように、引出しが上面と奥側の面とが開放した外引出しと上面のみが開放した内引出しの二重構造になっており、内引出しの中にハトを入れた上でこの二重構造の引出しをケースに収め、内引出しをケースに残して外引出しのみをケースから引出して観客に引出しが空であることを見せ、いったん外引出しをケースに収め、再度引出しを引出す際に外引出しと内引出しを一緒に引出すと、引出しからハトが出現するというものである。
【０００３】
上述のように、外引出しは奥側の面が開放しており、このことを観客に見られるとまずいので、引出しが空であることを観客に示す際には、図５に示すように、外引出し９０のみをケース９１から最大限引出した状態で、外引出し９０の中が見えるように引出し箱全体を観客側に向けて９０°回転させて見せるようにしており、外引出し９０をケース９１から抜き取ることはできなかった。引き出しをケースから抜き取って引き出しが空であることを見せられれば、ハトが出現したときに不思議な感じが一層増すものと思われる。
【先行技術文献】
【特許文献】
【０００４】
【特許文献１】実公昭４６−３７２１４号公報
【発明の概要】
【発明が解決しようとする課題】
【０００５】
本発明は以上に述べた実情に鑑み、引出しをケースから抜き取って観客に見せることのできる引出し箱の提供を目的とする。
【課題を解決するための手段】
【０００６】
上記の課題を達成するために請求項１記載の発明による引出し箱は、引出しと、引出しを収めるケースとを備え、引出しは、外引出しと、外引出しの内側に配置される内引出しとを有し、外引出しは、内側に倒せるように設けた後壁を有することを特徴とする。
【０００７】
請求項２記載の発明による引出し箱は、請求項１記載の発明の構成に加え、外引出しのみをケースから引き抜いたときに、外引出しの後壁がバネの力で起き上がるようにしたことを特徴とする。
【０００８】
請求項３記載の発明による引出し箱は、請求項１又は２記載の発明の構成に加え、外引出しは、後壁を起立状態で保持するストッパーを有することを特徴とする。
【０００９】
請求項４記載の発明による引出し箱は、請求項１，２又は３記載の発明の構成に加え、内引出しの前部底側に傾斜部を設けたことを特徴とする。
【発明の効果】
【００１０】
請求項１記載の発明による引出し箱は、引出しが外引出しと内引出しの二重構造となっており、且つ外引出しに内側に倒せるように設けた後壁を有することを特徴とするものであり、この引出し箱を用いた手品の手順を説明すると、まず準備としてあらかじめ内引出しの中にハト等を入れ、外引出しの後壁を倒した状態で外引出しの中に内引出しを配置してケースに収めておく。観客の前では、まず最初に外引出しのみをケースから抜き取り、抜き取ると同時に後壁を起立させ、引出しの中が空であることを観客に見せる。その後、外引出しをケースにいったん収める。その後、外引出しと内引出しが一緒になった状態でケースから引き出す。すると、内引出しの中に入れておいたハト等が飛び出す。
上述のように本引出し箱は、引出し（外引出し）をケースから完全に抜き取って引出しの中が空であることを示すことができ、ハト等を取出すときも引出しをケースから完全に抜き取ることができるため、観客に対してより一層不思議な感覚を抱かせることができる。
【００１１】
請求項２記載の発明による引出し箱は、外引出しのみをケースから引き抜いたときに、外引出しの後壁がバネの力で起き上がるため、手品の実施を容易化できる。
【００１２】
請求項３記載の発明による引出し箱は、外引出しに、後壁を起立状態で保持するストッパーを有するので、外引出しのみをケースから引き抜いた際に、後壁をストッパーにより起立状態に保持できるため、体裁が良いと共に観客に怪しまれるのを防ぐことができる。
【００１３】
請求項４記載の発明による引出し箱は、内引出しの前部底側に傾斜部を設けたことにより、外引出しをケースから抜き取って観客に引出しの中が空であることを見せてから外引出しをケースに収める際に、外引出しの後壁が内引出しの傾斜部に押されて倒れるので、手品を手際よくスピーディーに行えるようにする効果がある。
【図面の簡単な説明】
【００１４】
【図１】本発明の引出し箱の一実施形態を示す縦断面図である。
【図２】図１のＡ−Ａ位置における引出し箱の断面図である。
【図３】本発明の引出し箱の分解斜視図である。
【図４】本発明の引出し箱を用いた手品の手順を順に示す縦断面図である。
【図５】従来の引出し箱において、引出しの中が空であることを観客に見せるときの状態を示す斜視図である。
【発明を実施するための形態】
【００１５】
以下、本発明の実施の形態を図面に基づいて説明する。本発明の引出し箱は、図１〜３に示すように、引出し１と、引出し１を収めるケース２とで構成され、引出し１は外引出し３と内引出し４の二重構造となっている。ケース２、外引出し３、内引出し４は、それぞれ薄い木の板を接着して組み立てたものである。ケース２の大きさは、前後方向の長さが３０ｃｍ、幅が１５ｃｍ、高さが１２ｃｍである。
【００１６】
外引出し３は、図３に示すように、前壁５と後壁６と左右の側壁７，７と底壁８とで、上面が開放した箱状に形成されている。後壁６は、下端部を蝶番９により底壁８に連結し、内側に倒せるように設けてある。後壁６と底壁８とのコーナー部には、バネ１０（ねじりバネ）が設けてあり、外引出し３をケース２から引き抜いたときに、後壁６がバネ１０の力で自然に起き上がるようになっている。図１に示すように、左右の側壁７の後部内面側には、後壁６が垂直に起き上がった状態に保持するストッパー１１ａが設けられ、底壁８の後部上面にも後壁６のストッパー１１ｂが設けてある。前壁５の表面中央部には、つまみ１２が設けてある。
【００１７】
内引出し４は、図３に示すように、前壁１３と後壁１４と左右の側壁１５，１５と底壁１６とで、外引出し３よりも一回り小さい上面が開放した箱状に形成されている。内引出し４の前部底側には、約４５°で傾斜した傾斜部１７が設けてある。図１に示すように、底壁１６は、側壁１５の下縁１５ａよりも少し上がった位置に設けてある。
【００１８】
ケース２は、天壁１８と底壁１９と左右の側壁２０，２０と後壁２１とで、前面のみが開放した筒状に形成されている。
【００１９】
次に、この引出し箱を使用した手品の手順を図４に即して説明する。まず準備として、図４（ａ）に示すように、内引出し４の中にハト２２を入れ、外引出し３の後壁６を内側に倒した状態で外引出し３の中に内引出し４を配置し、この二重にした引出し１をケース２に収める。内引出し４の傾斜部１７と外引出し３との間の空間には、多数のミリオンフラワー２３を畳んだ状態で入れておく。なおミリオンフラワー２３とは、手品でよく用いられる板バネの力で広がる紙製の造花である。
観客の前では、図４（ｂ）に示すように、最初に内引出し４をケース２内に残し、外引出し３のみをケース２から引き出して抜き取る。この操作は、引出し箱を若干後下がりに傾けながら外引出し３のつまみ１２を引くことで行うことができる。このように外引出し３を抜き取ると、多数のミリオンフラワー２３が広がって外引出し３から飛び出し、同時に後壁６がバネ１０の力で起き上がり、ストッパー１１ａ，１１ｂにより垂直に起き上がった状態で保持される。ミリオンフラワー２３は必ずしも必要ではないが、後壁６の動きを見せないようにカムフラージュする効果がある。
その後、外引出し３をひっくり返したり横にしたりして、ミリオンフラワー２３を出しつつ外引出し３の中が空であることを観客に十分に見せてから、図４（ｃ），（ｄ）に示すように、外引出し３をケース２に収める。このとき、外引出し３の後壁６は、内引出し４の傾斜部１７に押されることで自然に内側に倒れる。また、内引出し４の底壁１６が側壁１５の下縁より少し上がった位置に設けてあるため、外引出し３と内引出し４の底壁８，１６同士の摩擦を防いで、外引出し３をスムーズにケース２に収めることができる。
その後、図４（ｅ）に示すように、全体を若干前下がりに傾けながら外引出し３のつまみ１２を引けば、外引出し３と内引出し４が一緒になってケース２から引き出され、ハト２２が引出し１から飛び出す。このときも、引出し１はケース２から完全に抜き取ることができ、ケース２の中を観客に見せることもできる。
【００２０】
以上に述べたように本引出し箱によれば、引出し（外引出し３）をケース２から完全に抜き取り、引出しをケース２から分離して引出しの中が空であることを観客に示すことができ、その引出しをケース２に収めて瞬時に引き出すと、空であったはずの引出しの中からハト２２が突然出てくるので、観客は非常に驚く。
【００２１】
本発明は以上に述べた実施形態に限定されない。引出し箱の材質、大きさは任意である。外引出しに設けられる後壁を起こすためのバネは省略することもでき、その場合は外引出しを引き出す際に後壁を手で起こせばよい。後壁用のストッパーは、一箇所だけに設けてもよい。
【符号の説明】
【００２２】
１  引出し
２  ケース
３  外引出し
４  内引出し
６  外引出しの後壁
１０  バネ
１１ａ，１１ｂ  ストッパー
１７  傾斜部
【図１】
2011041687.tif 000003
【図２】
2011041687.tif 000004
【図３】
2011041687.tif 000005
【図４】
2011041687.tif 000006
【図５】
2011041687.tif 000007